(57)【特許請求の範囲】
【請求項１】
共通の中心軸線上に同軸に配置された一対の円板状部材と、前記一対の円板状部材を連結する第１基材を備え、前記中心軸線の周りに回転する基体と、
前記第１基材に対して回動可能に取りつけられた第２基材と、
前記第２基材に設けられたクランプ手段と、
前記第２基材の一端部に取り付けられる一端部と、前記基体の回転方向に沿って前記一対の円板状部材に巻装される一対の側縁部と、前記第２基材の他端部に取り付けられる他端部とを有し、前記クランプ手段に一端部を固定された孔版原紙を取りつけるための周面を形成するインク通過性部材と、
前記円板状部材に設けられ、前記第２基材を前記第１基材に対して回動させることにより前記中心軸線と前記回転方向の双方に平行でない斜め方向に前記インク通過性部材を移動させる斜め調整手段と、
を有する孔版印刷装置。
【請求項２】
前記第２基材の他端部に前記中心軸線の方向に沿って形成された係合部と、前記インク通過性部材の他端部を前記係合部に連結する弾性部材とをさらに有し、前記斜め調整手段によって前記第２基材が前記斜め方向に移動したときに前記インク通過性部材の前記他端部側が前記中心軸線の方向に沿って移動する請求項１記載の孔版印刷装置。
【請求項３】
共通の中心軸線上に同軸に配置された一対の円板状部材と、前記一対の円板状部材を連結する第１基材を備え、前記中心軸線の周りに回転する基体と、
前記第１基材に対して回動可能に取りつけられた第２基材と、
前記第２基材に設けられたクランプ手段と、
前記第２基材の一端部に取り付けられる一端部と、前記基体の回転方向に沿って前記一対の円板状部材に巻装される一対の側縁部と、前記第２基材の他端部に取り付けられる他端部とを有し、前記クランプ手段に一端部を固定された孔版原紙を取りつけるための周面を形成するインク通過性部材と、
前記中心軸線の回りに回動可能となるように前記円板状部材に設けられて前記第２基材の側縁部が連結された移動部材を有し、前記移動部材を移動させて前記第２基材を前記第１基材に対して回動させることにより前記中心軸線と前記回転方向の双方に平行でない斜め方向に前記インク通過性部材を移動させる斜め調整手段と、
を有する孔版印刷装置。
【請求項４】
前記第２基材の他端部に形成された第１ギア部と、前記インク通過性部材の他端部側に設けられて前記第１ギア部に係合する第２ギア部をさらに有し、前記斜め調整手段によって前記第２基材が前記斜め方向に移動したときに前記インク通過性部材の前記他端部側が前記斜め方向に移動する請求項３記載の孔版印刷装置。
【発明の詳細な説明】
【０００１】
【発明の属する技術分野】
本発明は、製版された孔版原紙が外周面に巻装されて回転駆動される円筒状の印刷ドラムを備えた孔版印刷装置に関する。
【０００２】
【従来の技術】
円筒状の印刷ドラムを有する孔版印刷装置が知られている。この孔版印刷装置の構造の一例を説明する。この孔版印刷装置の印刷ドラムは、多孔性で円筒状の支持体と、この支持体の外周面に巻きつけたメッシュスクリーン層を有する。印刷ドラムの内部には、印刷ドラムの内周面にインクを供給するインク供給手段が設けられている。印刷ドラムの外側には、印刷ドラムに近接して押圧手段としてのプレスローラが設けられている。この印刷ドラムの外周面に孔版原紙を巻き付ける。印刷ドラムと押圧手段を回転させ、印刷用紙を両者の間に供給する。印刷ドラムの内周面に供給されたインクは、支持体の開孔部、メッシュスクリーン層、孔版原紙の穿孔部を通過して印刷用紙に転移し、画像を形成する。
【０００３】
上記装置では、印刷に先立ち、読取装置が原稿の画像を読み取って電気信号に変換する。その信号に応じてサーマルヘッド等の発熱素子を有する製版装置が孔版原紙を穿孔する。更に穿孔された孔版原紙が印刷ドラムの外周面に巻装され、その後前述したように印刷が行われる。
【０００４】
上記装置では、一般的に印刷画像と原稿画像の間にズレが生じれば、天地方向及び横方向の画像調整が行われる。
【０００５】
天地方向の画像ズレの補正は、特開昭５０−６６３０８号に開示されている。水平方向（横方向）の画像ズレの補正は、特開昭６３−２１８４３５号に開示されている。
【０００６】
又、オフセット印刷装置では、印刷版としてアルミニウム版が用いられる。アルミニウム版は、その先端部をクランプ装置で固定され、プレートシリンダーに巻装して使用する。使用するアルミニウム版には相当の強度がある。また、アルミニウム版はプレートシリンダーには全面で固定されてはいない。そこで、印刷画像のズレを調整するために、アルミニウム版の先端部を保持しているクランプ装置を旋回させたり円弧状に動かす斜行調整部材等により、アルミニウム版を直接移動させていた。
【０００７】
【発明が解決しようとする課題】
しかしながら、上記従来の孔版印刷装置では、天地・横方向の画像ズレは調整出来ても、斜め方向の画像ズレは調整出来ないという問題がある。又、オフセット印刷装置の構造を孔版印刷装置に転用すると、アルミニウム版に比べて孔版原紙の強度が極度に小さい為、孔版原紙に皺ができる等の問題が発生する。
【０００８】
特開平６−３４４６４８号は、孔版原紙が巻き付けられた印刷ドラムをねじることにより画像の斜め調整を行う技術を開示している。しかし、印刷ドラムは周壁の一部にインクが通過する多数の孔が形成されているために強度が小さい。従って、前述したように印刷ドラムをねじると、印刷ドラムに無理なストレスが発生し、破損等の問題が発生する。
【０００９】
本発明は前記問題を低減し、簡単かつ印刷ドラムに無理なストレスを生じさせる事無く、画像斜め調整を行うものである。
【００１５】
【課題を解決する為の手段】
請求項１に記載された孔版印刷装置は、共通の中心軸線上に同軸に配置された一対の円板状部材（１６）と、前記一対の円板状部材を連結する第１基材（連結基板１７）を備え、前記中心軸線の周りに回転する基体（１５）を有している。次に、この孔版印刷装置は、前記第１基材（連結基板１７）に対して回動可能に取りつけられた第２基材（クランプ基板１８）と、前記第２基材に設けられたクランプ手段（３）と、インク通過性部材（２）を有している。インク通過性部材は、前記第２基材の一端部に取り付けられる一端部と、前記基体の回転方向に沿って前記一対の円板状部材に巻装される一対の側縁部と、前記第２基材の他端部に取り付けられる他端部とを有し、前記クランプ手段に一端部を固定された孔版原紙を取りつけるための周面を形成する。そして、この孔版印刷装置は、前記円板状部材に設けられ、前記第２基材を前記第１基材に対して回動させることにより前記中心軸線と前記回転方向の双方に平行でない斜め方向に前記インク通過性部材を移動させる斜め調整手段（３０）を有している。
【００１６】
請求項２に記載された孔版印刷装置は、請求項１記載の孔版印刷装置において、前記第２基材（クランプ基板１８）の他端部に前記中心軸線の方向に沿って形成された係合部（２５）と、前記インク通過性部材（２）の他端部を前記係合部に連結する弾性部材（ばね３４）とをさらに有し、前記斜め調整手段（３０）によって前記第２基材が前記斜め方向に移動したときに前記インク通過性部材の前記他端部側が前記中心軸線の方向に沿って移動することを特徴としている。
【００１７】
請求項３に記載された孔版印刷装置は、共通の中心軸線上に同軸に配置された一対の円板状部材（４１）と、前記一対の円板状部材を連結する第１基材（連結基板１７）を備え、前記中心軸線の周りに回転する基体（１５）を有している。次に、この孔版印刷装置は、前記第１基材に対して回転可能に取りつけられた第２基材（クランプ基板１８）と、前記第２基材に設けられたクランプ手段（３）と、インク通過性部材（２）を有している。インク通過性部材は、前記第２基材の一端部に取り付けられる一端部と、前記基体の回転方向に沿って前記一対の円板状部材に巻装される一対の側縁部と、前記第２基材の他端部に取り付けられる他端部とを有し、前記クランプ手段に一端部を固定された孔版原紙を取りつけるための周面を形成する。そして、この孔版印刷装置は、前記中心軸線の回りに回動可能となるように前記円板状部材に設けられて前記第２基材の側縁部が連結された移動部材（４３）を有し、前記移動部材を移動させて前記第２基材を前記第１基材に対して回転させることにより前記中心軸線と前記回転方向の双方に平行でない斜め方向に前記インク通過性部材を移動させる斜め調整手段（４０）を有している。
【００１８】
請求項４に記載された孔版印刷装置は、請求項３記載の孔版印刷装置において、前記第２基材（クランプ基板１８）の他端部に形成された第１ギア部（５１）と、前記インク通過性部材（２）の他端部側に設けられて前記第１ギア部に係合する第２ギア部（５２）をさらに有し、前記斜め調整手段（４０）によって前記第２基材が前記斜め方向に移動したときに前記インク通過性部材の前記他端部側も前記斜め方向に移動することを特徴としている。
【００２０】
【発明の実施の形態】
本発明の実施の形態の第１の例を、図１〜図５及び図１２を参照して説明する。
図１２に示すように、本例の孔版印刷装置は印刷ドラム１を有している。印刷ドラム１は自身の中心軸線の周りに回転駆動される。印刷ドラム１の周面は、インク通過性で可撓性のインク通過性部材２からなり、内側から押せば外方に向けて弾性変形する。印刷ドラム１の外周面には、クランプ手段３が設けられている。製版された孔版原紙はクランプ手段３に先端を保持され、インク通過性部材２の外周面に巻き付けられる。印刷ドラム１の内部には、スキージローラ４が昇降可能に設けられている。スキージローラ４は印刷ドラム１の回転に同期して所定のタイミングで昇降し、インク通過性部材２を外方に向けて押圧する。スキージローラ４は、印刷ドラム１の駆動ギア５と中間ギア６とスキージローラ４のギア７によって、印刷ドラム１に連動して印刷ドラム１と同方向に回転駆動される。このスキージローラ４に対して所定の間隔を置いてドクターローラ９が配置されている。インクは、インク供給パイプ８によって印刷ドラム１の内部に供給され、ドクターローラ９によってスキージローラ４の周面に一定量が供給される。
【００２１】
印刷ドラム１の下方には紙胴１０が配置されている。紙胴１０の直径は印刷ドラム１の直径と略同一である。非印刷状態において、印刷ドラム１と紙胴１０の間には微小な隙間が設けられている。紙胴１０は、印刷ドラム１の回転に同期して印刷ドラム１と反対方向に回転駆動される。紙胴１０の外周面には印刷用紙の先端を保持する保持爪１１が開閉可能に設けられている。紙胴１０の外周面には、印刷ドラム１のクランプ手段３との干渉を回避するために凹部１２が設けられている。
【００２２】
供給された印刷用紙の先端が紙胴１０の保持爪１１に保持される。紙胴１０の回転に伴って印刷用紙が搬送される。紙胴１０に同期して印刷ドラム１が回転する。所定のタイミングでスキージローラ４が下降してインク通過性部材２を外方に向けて押圧する。外方に向けて変形したインク通過性部材２と孔版原紙は、紙胴１０との間に印刷用紙を挟持する。印刷用紙は、変形した印刷ドラム１と紙胴１０に挟まれて搬送される。搬送の間、インク通過性部材２の内周面に供給されたインクは、インク通過性部材２と孔版原紙の穿孔部を通過して印刷用紙に転移し、孔版原紙の穿孔画像に対応した画像を形成する。
【００２３】
次に、本例の印刷ドラム１の構造を図１〜図４及び図１２を参照してさらに詳しく説明する。
印刷ドラム１は基体１５を有している。基体１５は、共通の中心軸線上に同軸に配置された一対の円板状部材１６と、前記一対の円板状部材１６を連結する第１基材としての連結基板１７を備えている。連結基板１７の長手方向は、円板状部材１６の中心軸線と平行である。基体１５は、図示しない駆動手段によって前記中心軸線の周りを回転駆動する。
【００２４】
図１及び図２に示すように、前記連結基板１７には、第２基材としてのクランプ基板１８が回転可能に取りつけられている。本例では、基体１５の軸線方向に関するクランプ基板１８の略中央部分が、支点軸１９によって連結基板１７の略中央部分に回動可能に連結されている。両基板１７，１８を連結する位置は必ずしも略中央部分でなくてもよい。
【００２５】
前記クランプ基板１８にはクランプ手段３が設けられている。クランプ手段３は、クランプ基板１８に取り付けられた回転支点２０と、回転支点２０に回動可能に支持された回転軸２１と、回転軸２１に取り付けられた金属製のクランプ板２２を有する。回転軸２１は基体１５の中心軸線に平行である。回転軸２１は、図示しない駆動機構によって回動される。クランプ基板１８の上面において、回転軸２１に関して一方の側には磁性を有するクランプベースが設けられている。クランプ板２２は孔版原紙の先端を挟んでクランプベースに磁着し、孔版原紙の先端をクランプ基板１８に固定する。金属製のクランプ板２２は磁力により孔版原紙を強力に保持する。
【００２６】
図２に示すように、クランプ基板１８の一端部には、インク通過性部材２の一端部が取り付けられている。このインク通過性部材２の一端部は、印刷ドラム１の回転方向について上流側である。インク通過性部材２は少なくとも一部がインク通過性であり、かつ可撓性の素材からなる。このインク通過性部材２は、その一対の側縁部が前記一対の円板状部材１６の周面に摺接するように基体１５に巻装される。インク通過性部材２の他端部には、軸線方向に細長い連結板２３が固定されている。このインク通過性部材２の他端部は、印刷ドラム１の回転方向について下流側である。この連結板２３は、弾性部材であるばね２４を介して前記クランプ基板１８の他端部に取り付けられている。このように、インク通過性部材２はばね２４の弾性力によって回転方向の下流側に引っ張られ、一対の円板状部材１６の周面に巻き付けられている。従って、インク通過性部材２は全体として円筒状となる。インク通過性部材２は内側から押せば円板状部材１６の周面を滑って外に向けて膨出し、力をなくせばばね２４によってもとの状態に戻る。
【００２７】
図２及び図５に示すように、前記クランプ基板１８の他端部には係合部２５が形成されている。係合部２５には、前記中心軸線の方向に沿って長孔２６が形成されている。インク通過性部材２の連結板２３に取り付けられたばね２４は、この係合部２５の長孔２６に移動可能に係合している。従って、次に説明する斜め調整手段によってインク通過性部材２の一端部側（上流側）を移動させれば、インク通過性部材２の他端部側（下流側）は基体１５の軸線方向に沿って移動する。
【００２８】
本例では、基体１５に巻かれたインク通過性部材２は、前記中心軸線の方向（横方向）と前記回転方向（天地方向）の双方に対して平行でない斜め方向に移動できる。この機能を達成する斜め調整手段３０について説明する。
【００２９】
図２、３、４に示すように、連結基板１７の一端部にはカム３１が軸支されている。カム３１は、カム部３２とギア部３３を有する。カム部３２は、厚さ方向に形成された段差を有しており、この段差がクランプ基板１８の側縁部に係合している。クランプ基板１８と円板状部材１６の間にはばね３４が設けられており、クランプ基板１８をカム部３２に向けて付勢している。このため、クランプ基板１８とカム部３２の間にはがたがなく、カム３１の回転が円滑にクランプ基板１８を移動させる。円板状部材１６の周面には、取り付け板を介して移動ギア３５が設けられている。カム３１のギア部３３は、この移動ギア３５に係合している。移動ギア３５には、駆動手段としての図示しない駆動軸が必要に応じて連結される。この駆動軸は、印刷ドラム１が所定の位置で停止した時に、図２において矢印（ハ）で示す方向で接近して移動ギア３５に連結される。クランプ基板１８は中央部分を軸支されているので、回転するカム３１がクランプ基板１８の側縁部を動かせば、クランプ基板１８は支点軸１９を中心として回転する。クランプ基板１８に取り付けられたインク通過性部材２及びインク通過性部材２に取り付けられた孔版原紙は、基体１５の上を前記斜め方向に移動する。
【００３０】
次に、以上の構成における作用を説明する。
製版された孔版原紙を印刷ドラム１に装着する。即ち、孔版原紙の先端部をクランプ板２２でクランプ基板１８の上に固定し、印刷ドラム１の回転に伴って孔版原紙をインク通過性部材２の上に巻き付ける。その後、前述したように印刷を行なう。
【００３１】
印刷を行なった後、得られた画像が印刷用紙に対して斜め方向にずれていたときには、斜め調整手段３０を用いて画像の位置調整を行なう。移動ギア３５を回転させることにより、移動ギア３５に勘合したカム３１を回転させる。図１において矢印（ニ）で示すように、カム３１に接しているクランプ基板１８は、支点軸１９を中心に円運動を行う。これにより、クランプ基板１８に固定されたインク通過性部材２も支点軸１９を中心に回転運動を行う。インク通過性部材２上の製版された孔版原紙も支点軸１９を中心に円運動を行う。この結果、孔版原紙の印刷用紙に対する画像の斜め方向のずれが調整される。本例では、クランプ基板１８の支点軸１９は印刷ドラム１の中心軸線方向の略中央部にあるので、画像調整時の基準が明確で、調整幅を最小にする事が可能である。なお、通常の場合、斜め調整でインク通過性部材を移動させる量は、印刷ドラムの中心軸線の端部における回転方向の移動量で最大数ｍｍ程度である。
【００３２】
インク通過性部材はばね２４の弾性力によって円板状部材１６に巻き付けられている。よって、上記斜め調整において、インク通過性部材の回転方向上流側を回動させても、下流側が同時に回動することはない。しかしながら、本例の構造によれば、インク通過性部材２の一端部側（上流側）が回動した時、インク通過性部材２の他端部側（下流側）の連結板２３は図２中に矢印（ホ）で示す軸方向にスライドできる。このため、孔版原紙には無理な力が作用することはなく、孔版原紙に皺が生じることはない。
【００３３】
本発明の実施の形態の第２の例を、図６〜図１０を参照して説明する。
本例の孔版印刷装置の全体的な構成は第１の例と略同一である。本例の印刷ドラム１の構成の内、第１の例と機能の点で実質的に同一の部分は第１の例と同一の符号を付して説明を省略する。以下、インク通過性部材２を前記斜め方向に移動するための斜め調整手段４０を中心として説明する。
【００３４】
本例においては、少なくとも一方の円板状部材４１の内面側に、扇形の凹部４２が外周面に開口して形成されている。この凹部４２には、扇形の移動部材４３が設けられている。移動部材４３は、基体１５の中心軸線の回りに回動可能である。移動部材４３の外周面には、クランプ基板１８の側縁部が連結されている。クランプ基板１８が連結された移動部材４３は駆動手段によって回動する。
【００３５】
移動部材４３を移動させる駆動手段について説明する。
図８に示すように、移動部材４３の一部にはギア部４４が設けられている。図９に示すように、円板状部材４１には、このギア部４４に勘合する第１駆動ギア４５が配置されている。第１駆動ギア４５の中心軸４６は円板状部材４１を貫通して外部に突出している。円板状部材４１の外部にある中心軸４６の端部は、固定板金４７によって支持されている。固定板金４７の内側において、中心軸４６には第２駆動ギア４８が取り付けられている。また、固定板金４７は第２駆動ギア４８に噛み合う第１伝達ギア４９を回転可能に保持しており、第１伝達ギア４９には第２伝達ギア５０が同軸に設けられている。第２伝達ギア５０には、図示しない外部の駆動源が連結される。
【００３６】
画像調整する場合には、図中には記載しない調整モータの駆動力が、第２伝達ギア５０、第１伝達ギア４９、第２駆動ギア４８、第１駆動ギア４５の順に伝達され、移動部材４３を円板状部材４１の円周方向に移動させる。この結果、円板状部材４１と移動部材４３の中心軸線に関する回転方向の位相が変化し、両部材に固定された連結基板１７とクランプ基板１８の位置関係も変化する。ここで、クランプ基板１８は、略中央の一点を連結基板１７の支点軸１９で回転可能に支持されている。このため、クランプ基板１８は、移動部材４３と円板状部材４１の位相変化によって支点軸１９を中心に回転運動を行う。クランプ基板１８に取り付けられたインク通過性部材２及びこれに取り付けられた孔版原紙も支点軸１９を中心に回転運動を行う。これによって画像の斜め調整が可能になる。
【００３７】
本例では、インク通過性部材２の上流側を斜め方向に移動すると、これに連動してインク通過性部材２の下流側も斜め方向に移動する。係る作動は、次のような機構によって達成される。図６に示すように、クランプ基板１８の他端部には第１ギア部５１が形成されている。第１ギア部５１は、支点軸１９の近傍に形成される。また、インク通過性部材２の他端部側に取り付けられた連結板２３には、第２ギア部５２が形成されている。第１ギア部５１と第２ギア部５２は噛み合っている。従って、前記斜め調整手段４０によってクランプ基板１８が回動すると、インク通過性部材２の下流側に連結された連結基板２３も回動する。
【００３８】
図１１は、以上説明した例に適用される制御パネル６０の拡大図である。制御パネル６０の一部には、斜め調整（斜行補正）におけるインク通過性部材２の回転方向を示す方向スイッチ６１，６２が２個設けられている。また、斜め調整（斜行補正）におけるインク通過性部材２の回転量を示す表示素子６３，６４も設けられている。中央の表示素子６３が補正量０を表す。左右にそれぞれ４個ずつ並ぶ表示素子６４が、１個について０．４ｍｍの補正量を表す。この補正量はインク通過性部材２の側縁部における周方向の移動量を示す。従って、２つの回転方向について最大で２ｍｍの補正が可能である。このような操作手段と表示手段を印刷装置の制御パネル６０に設ければ、インク通過性部材２の斜め調整を簡単に行なうことができる。
【００３９】
尚、前記実施例の移動ギア３５及び第２伝達ギア５０には、不図示の駆動手段であるモータの駆動軸に取り付けられた駆動ギアが噛み合っている。そして、前記制御パネル６０の方向スイッチ６１，６２を押せば、このモータが駆動され、その駆動量に応じてスクリーン部材２が回動する。これによって印刷用紙に形成される印刷画像の斜向を調整することができる。
【００４０】
また、前記実施例において、次の新たに製版された孔版原紙を用いて印刷を行なう場合には、印刷ドラム１の外周面に巻装されている孔版原紙を不図示の排版手段によって剥ぎ取り、図示しない排版箱などに廃棄する必要がある。この場合、孔版原紙は印刷ドラムを回転させながら剥ぎ取っていくので、スクリーン部材上の孔版原紙が印刷ドラムの回転方向に対して傾斜した状態にあると、正常な排版処理ができない。このため、排版に先立ってスクリーン部材２を初期設定位置であるホームポジションに戻す制御が行なわれる。その場合には、不図示の制御手段によって制御パネル６０上の表示素子６３，６４の点灯状態をチェックする。表示素子６３が点灯していない場合、即ち印刷画像の斜向調整が行なわれて表示素子６４のいずれかが点灯している場合には、前記モータを駆動してスクリーン部材２を前記ホームポジションに戻るまで駆動する。尚、スクリーン部材２をホームポジションに戻すタイミングとしては、新たな製版指令が操作パネルなどから入力された時点がよい。排版動作時にスクリーン部材２をホームポジションに戻していれば、次の新たな製版済みの孔版原紙の一端部を、所定の状態でクランプ手段３によって確実に保持することができる。
【００４１】
以上説明した例の孔版印刷装置は、連結された一対の円板状部材にばねの弾性力でインク通過性部材を巻き付けた印刷ドラムを有していた。このような構成の装置では、インク通過性部材を外に向けて変形させ、外部の紙胴との間に印刷用紙を挟んで印刷を行なう。しかしながら、本発明はこのような基本構成の孔版印刷装置のみに適用されるものではない。本発明は、剛性を有する回転可能な基体と、この基体に巻き付けられるインク通過性部材を有する孔版印刷装置に対して適用可能である。基体の構造については特に限定しない。例えば、金属製の円筒状の基体でもよい。その場合には、周壁にはインク通過性の開口領域を形成する。インク通過性部材は、この金属製の円筒部材の周りに巻き付けられる。
【００４２】
【発明の効果】
本発明によれば、印刷画像が斜めに印刷された場合でも調整が可能であり、画像品質の良い印刷画像を得る事が可能になる。
【００４３】
また、本発明において、インク通過性部材の両端部が連動するようにすれば、印刷ドラム１や孔版原紙に無理な力を作用させずに印刷出来る為、孔版原紙の寄れ等を防止する事が可能になる。
【００４４】
また、本発明において、円板状部材に設けたカムでインク通過性部材を回動させる構成とすれば、斜め調整手段が印刷ドラムの外に配置された他の印刷用部材（紙胴等）に接触して破損するおそればない。
【００４５】
また、本発明において、円板状部材と同軸で回動する移動部材によってインク通過性部材を回動させる構成とすれば、斜め調整手段の主要部を円板状部材の回転中心側に配置する事が可能になる為、印刷ドラムの慣性が少なくなり、印刷装置を運転する際の負荷変動が少なくなる。
【図面の簡単な説明】
【図１】本発明の第１の例の平面図の略中央部である。
【図２】本発明の第１の例の平面図の右半部である。
【図３】本発明の第１の例の右側面図である。
【図４】図２の切断線における断面図である。
【図５】図２の矢印における矢視線図である。
【図６】本発明の第２の例の平面図の左半部である。
【図７】本発明の第２の例の平面図の右半部である。
【図８】本発明の第２の例の一部を断面とした右側面図である。
【図９】本発明の第２の例の平面図の一部を破断した右半部である。
【図１０】本発明の第２の例の右側面図である。
【図１１】本発明の例における制御パネルの一部を拡大して示す図である。
【図１２】本発明の例の全体の構成を示す図である。
【主な符号の説明】
１…印刷ドラム、２…インク通過性部材、３…クランプ手段、１５…基体、
１６，４１…円板状部材、１７…第１基材としての連結基板、
１８…第２基材としてのクランプ基板、２４…弾性部材としてのばね、
２５…係合部、３０，４０…斜め調整手段、３１…カム、
３５…駆動手段としての移動ギア、４３…移動部材、
４５…駆動手段としての第１駆動ギア、
４８…駆動手段としての第２駆動ギア、
４９…駆動手段としての第１伝達ギア、
５０…駆動手段としての第２伝達ギア、
５１…第１ギア部、５２…第２ギア部。
【図１】
0003691314.tif 000002
【図２】
0003691314.tif 000003
【図３】
0003691314.tif 000004
【図４】
0003691314.tif 000005
【図５】
0003691314.tif 000006
【図６】
0003691314.tif 000007
【図７】
0003691314.tif 000008
【図８】
0003691314.tif 000009
【図９】
0003691314.tif 000010
【図１０】
0003691314.tif 000011
【図１１】
0003691314.tif 000012
【図１２】
0003691314.tif 000013